(57)【要約】      （修正有）【課題】書籍にブックカバーを装着する際や使用中に、負荷がかかっても破れにくい、強度が改良されたブックカバーを提供する。【解決手段】ＣＰＰフィルム製のブックカバーであって、本体の第１端に書籍６の表紙を差し込むポケット部２を、対向する第２端に粘着部４を、中央より第２端寄りに帯部５を備え、第２端を折り返すと粘着部が帯部に粘着する。【選択図】図１
0003225233.tif 000002
【実用新案登録請求の範囲】
【請求項１】
本体の第１端にポケット部を、対向する第２端に粘着部を、中央より前記第２端寄りに帯部を備え、前記第２端を折り返すと前記粘着部が前記帯部に粘着する、ＣＰＰフィルム製のブックカバー。
【考案の詳細な説明】
【技術分野】
【０００１】
本考案は、書籍を汚れ、損傷等から保護するためのブックカバーに関するものである。
【背景技術】
【０００２】
書店で書籍を購入すると、紙製のカバーをかけてもらえることが多い。しかし、紙製のカバーは不透明であり、装着したままでは外観でどの書籍か判断できないという不都合がある。また、書籍の表紙や背には意匠を凝らした装丁が施してあることが多く、これを見ることができなければ書籍を保有する楽しみを減じる場合がある。
【０００３】
かかる問題に対し、ＯＰＰ、すなわち二軸延伸ポリプロピレンなどの素材を用いた、透明樹脂製のブックカバーが市販されている。透明樹脂製のブックカバーは、装着したまま書籍の表紙や背を視認することができ、複数冊の書籍を並べても、判別できなくなることがない。また、装丁を見る楽しみを減じることがない。さらに、樹脂素材は水分を含む汚れに強く、水拭きも可能であるという利点がある。
【０００４】
ＯＰＰフィルムは、張りがあり、透明度が特に高い素材であるため、ブックカバーに用いられることも多い。しかし、引き裂きや衝撃に弱く、接合部が引っ張られると破れやすいという短所がある。透明樹脂製のブックカバーは、書籍の表紙を差し込むポケット部などにサイドシール加工を施すことによって製造される。したがって、書籍にブックカバーを装着する際や使用中に、このような部分に負荷がかかると破れやすい。そのため、閲覧用の書籍を多数備えるカフェなど、ブックカバーを業務において使用する場合には特に、強度が改良されたブックカバーが必要とされている。
【０００５】
特許文献１には、本の表紙の一方を差し込む袋部、表紙の他方に対して折り込まれて係合するフラップ、帯、フラップの裏面側に設けられ帯に貼り付けられる粘着部を備える、透明樹脂製の本のカバーが開示されている。しかし、その素材についての詳細な開示はなく、透明樹脂製と記載されているに留まる。
【先行技術文献】
【特許文献】
【０００６】
【特許文献１】特開平０７―２９０８５９号公報
【考案の概要】
【考案が解決しようとする課題】
【０００７】
本考案は、接合部における強度が改良された、書籍への装着が容易であり、書籍の表紙や背の視認を妨げない、透明なブックカバーを提供することを目的とする。
【課題を解決するための手段】
【０００８】
上記課題を解決するため、本考案は、本体の第１端にポケット部を、対向する第２端に粘着部を、中央より前記第２端寄りに帯部を備え、前記第２端を折り返すと前記粘着部が前記帯部に粘着する、ＣＰＰフィルム製のブックカバーを提供する。
【考案の効果】
【０００９】
本考案によるブックカバーは、書籍に装着することにより、書籍の表紙や背に書かれた書名、著者などの情報や、イラストなどの装飾を覆い隠すことなく、書籍を汚損などによる劣化から保護することができる。また、装着する書籍の高さに合わせたブックカバーを選択し、書籍をブックカバーに挿入し、第２端を折り返して粘着部に粘着させることにより、容易に装着することができる。
【図面の簡単な説明】
【００１０】
【図１】図１は、本考案のブックカバーを書籍に装着する過程を示す図である。
【考案を実施するための形態】
【００１１】
本考案によるブックカバーは、本体の第１端にポケット部を、対向する第２端に粘着部を、中央より第２端寄りに帯部を備える。書籍をブックカバーに挿入した状態で第２端を折り返すことにより、粘着部と帯部とが重なり、書籍にブックカバーを装着した状態で固定することができる。
【００１２】
ブックカバーは、装着する書籍に合わせた寸法でなければ、使用感が低下する。縦方向の長さが書籍の高さに対して不足していると、表紙を挿入することができず、ブックカバーを装着することができない。また、横方向の長さが書籍の表紙両面の幅と厚さとの和に対して不足していると、書籍を完全に閉じることができず、書籍が損傷する原因となる。一方、書籍に対してブックカバーが大きすぎると、外観が悪く、また読書中にブックカバーがずれる原因となる。
【００１３】
書籍の高さは複数の種類があるが、レーベルが同じであれば高さは統一されていることが多い。しかし、書籍の厚さは個々の書籍によって様々であり、同一のレーベルであっても一般に統一されていない。そのため、横方向の長さが画一的であると、個々の書籍に対するフィット性が低下する。本考案の構成であれば、第２端の折り返す位置を変えることでブックカバーの横の長さを調整し、書籍の寸法に合わせることができる。
【００１４】
粘着部は、ブックカバー本体の弾性に抗して、装着した状態を維持できる粘着力を提供可能であれば、任意の幅を有してよい。ただし書籍の寸法に応じて第２端の折り返す位置を変化させても、粘着部の全体が帯部に重なることが求められる。したがって、帯部は粘着部より十分広い幅を有する。
【００１５】
本考案によるブックカバーは、ＣＰＰフィルムを素材に用いて製造される。ＣＰＰとは、Ｃａｓｔ  Ｐｏｌｙｐｒｏｐｙｌｅｎｅの略で、無延伸ポリプロピレンフィルムを指す。ＣＰＰは透明度が比較的高く、切れ目や接合部における引き裂きに強いという特長がある。ブックカバーは、書籍表紙を挿入するポケット部、他方の表紙を下に通す帯部などに、接合された箇所を有する。ポケット部や帯部は、書籍への装着の際に大きな負荷がかかりやすい箇所でもある。本考案によるブックカバーは、引き裂きに強いＣＰＰフィルムを用いることにより、フィルムの破れを懸念することなく、快適に装着作業を行うことができる。
【００１６】
本考案におけるＣＰＰフィルムは、組成にＣＰＰを含むフィルムを意味する。したがって、本質的にＣＰＰのみから構成されるフィルムであってもよく、またはＣＰＰフィルムと他の素材から製造されたフィルムとの積層フィルムであってもよい。
【００１７】
また、本考案におけるＣＰＰフィルムは、ＣＰＰ素材中に添加剤を含有してもよい。例えば、紫外線吸収剤、顔料、強化剤、エラストマー、帯電防止剤、防曇剤、滑剤などを含んでもよい。他の素材のフィルムとの積層フィルムである場合、他の素材のフィルムも同様に、添加剤を含有することができる。
【００１８】
本考案のブックカバーにおいて、粘着部の上に剥離フィルムを設けてもよい。これにより、書籍に装着する前の取扱いの利便性が向上する。装着時には剥離フィルムを剥がすだけでよいため、容易に装着作業を行うことができる。
【００１９】
本考案のブックカバーにおいて、本体、帯部、および剥離フィルムは、帯電防止加工を施したフィルムを使用してもよい。これにより、書籍への装着時に手にまとわりつかず、効率的に作業を行うことができる。また、装着時や保管時に、ほこりなどの微物の付着を防止することができる。
【００２０】
本考案のブックカバーを装着するには、まず、図１（Ａ）のようにブックカバーを広げ、書籍の表紙第２端を帯部の下に通し、図１（Ｂ）のように帯と書籍ののどが近接するようにスライドさせる。次に、図１（Ｃ）のように、書籍の表紙第１端を、ブックカバーの第１端のポケット部に挿入する。そのまま、図１（Ｄ）のように、書籍の表紙第１端がポケット部の奥に達するようにスライドさせる。書籍の位置をずらさずに、図１（Ｅ）のように、ブックカバーの第２端を書籍の表紙第２端に沿って折り返す。最後に、図１（Ｆ）のように、粘着部を帯部上で押圧し、粘着させる。
【００２１】
なお、本考案は上記の実施形態に限定されるものではなく、本考案の趣旨に基づいて種々変形させることが可能であり、それらを本考案の範囲から排除するものではない。
【符号の説明】
【００２２】
１  第１端
２  ポケット部
３  第２端
４  粘着部
５  帯部
６  書籍
７  書籍の表紙第１端
８  書籍の表紙第２端
【図１】
0003225233.tif 000003
【手続補正書】
【提出日】令和1年12月12日(2019.12.12)
【手続補正１】
【補正対象書類名】実用新案登録請求の範囲
【補正対象項目名】全文
【補正方法】変更
【補正の内容】
【実用新案登録請求の範囲】
【請求項１】
四角形の本体の第１端にポケット部を、対向する第２端に粘着部を、中央より前記第２端寄りに帯部を備え、前記第２端を折り返すと前記粘着部が前記帯部に粘着する、ＣＰＰフィルム製のブックカバー。